(57)【要約】【課題】軸の突出方向に良好に小型化可能で、外力でギヤが外れるのも良好に抑制可能なシートガイド装置の提供。【解決手段】ストッパ７は、円板状の抜け止め部７１の下端にＬ字状の係合部７２が一体成形されている。ギヤ５が装着される軸６には穴６１が形成され、軸６の突出方向先端側に開口した小径部６２から係合部７２を挿入し、軸６の突出方向先端側端面に抜け止め部７１と当接させると図５に示すようになる。続いて、ストッパ７が軸６の突出方向と垂直な面に沿って回動されると、係合部７２が弾性変形することによって穴６１側の係止突起６５を乗り越え、穴６１の大径部６３の、小径部６２と重畳しない範囲に侵入して係合する。このため、外力によってギヤ５が軸６から外れるのを良好に抑制することができる。【選択図】図５
2011084366.tif 000002
【特許請求の範囲】
【請求項１】
シートの対向する一対の端縁に当接するガイド面をそれぞれ有し、上記各ガイド面が上記一対の端縁に近接離間する方向に移動可能にそれぞれ設けられた一対のガイド部材と、
上記一対のガイド部材を移動可能に備えた装置の一部に突出して設けられた軸と、
上記軸に回転可能に装着されたギヤと、
上記軸よりも少なくとも一部が大径で、上記軸の突出方向先端に取り付けられることにより上記ギヤが上記軸から抜けるのを抑制する抜け止め部と、
上記各ガイド部材にそれぞれ設けられ、上記ギヤにそれぞれ噛合うことで上記一対のガイド部材を連動させる一対のラックと、
上記軸に穿設され、上記軸の突出方向先端側に開口した小径部と、その小径部の上記突出方向基端側に連接した大径部と、を有する穴と、
上記抜け止め部に一体に形成され、上記先端側に開口した上記穴の上記小径部から挿入可能で、上記穴の上記大径部まで挿入された後に上記抜け止め部が上記軸の突出方向と垂直な面に沿って回動されたとき、上記大径部の上記小径部と重畳しない範囲に侵入して係合する係合部と、
上記穴の内面に突設され、上記係合部の上記穴への挿入後に上記抜け止め部が上記面に沿って回動されたとき、上記係合部を、上記穴の上記大径部に係合した状態に係止する係止突起と、
を備えたことを特徴とするシートガイド装置。
【請求項２】
上記穴の上記小径部及び上記係合部は、上記面に沿った形状が長尺状に構成され、
上記抜け止め部は、上記長尺状の係合部の一端と連接され、
上記係合部の一端の挿入位置は、上記ギヤの回転中心に対して偏心して設けられ、
上記穴の上記大径部は、上記抜け止め部が上記係合部の一端を中心に上記面に沿って９０°未満の範囲で回動されるように、上記係合部の一端の挿入位置を中心にして鋭角に上記ギヤの回転中心に向けて開いた形状とされ、
上記係止突起は、上記係合部の他端が上記抜け止め部の回動時に弾性変形によって乗り越えることで、上記係合部を係止することを特徴とする請求項１記載のシートガイド装置。
【請求項３】
上記ギヤに設けられたフランジまたは上記抜け止め部は、上記各ラックに上記軸の突出方向先端側から当接し、
上記係合部の一端の挿入位置は、上記一対のラックの中間点に設けられたことを特徴とする請求項２記載のシートガイド装置。
【発明の詳細な説明】
【技術分野】
【０００１】
本発明は、シートの対向する一対の端縁に当接するガイド面をそれぞれ有した一対のガイド部材によってシートをガイドするシートガイド装置に関し、詳しくは、一対のガイド部材の双方が、上記各ガイド面が上記一対の端縁に近接離間する方向にそれぞれ移動可能に設けられたシートガイド装置に関する。
【背景技術】
【０００２】
従来より、用紙，原稿等のシートをガイドするシートガイド装置として、シートの対向する一対の端縁に当接するガイド面を有した一対のガイド部材の双方を、ギヤ及びラックを介して対称に移動させるいわゆるセンタレジタイプのシートガイド装置が知られている。この種のシートガイド装置では、例えばシートを下面から支持する支持板や画像形成装置の筐体などといった上記一対のガイド部材を移動可能に備えた装置の一部から、突出して設けられた軸に、上記ギヤを回動可能に装着している。
【０００３】
また、そのようなシートガイド装置では、上記ギヤが上記軸から抜けるのを抑制するための構成も、種々提案されている。例えば、支持板から突出された軸を２つ割りにすると共に先端に爪を形成し、ギヤの挿入後に上記２つ割りにされた軸を押し広げて上記爪をギヤに係合させることが提案されている。
【先行技術文献】
【特許文献】
【０００４】
【特許文献１】特開平１１−１００１５１号公報
【発明の概要】
【発明が解決しようとする課題】
【０００５】
ところが、この場合、爪を設けたことにより軸の突出方向に大型化する、外力が加わるとギヤが外れ易い、などといった課題がある。そこで、本発明は、軸の突出方向に良好に小型化可能で、外力でギヤが外れるのも良好に抑制可能なシートガイド装置を提供することを目的としてなされた。
【課題を解決するための手段】
【０００６】
上記目的を達するためになされた本発明のシートガイド装置は、シートの対向する一対の端縁に当接するガイド面をそれぞれ有し、上記各ガイド面が上記一対の端縁に近接離間する方向に移動可能にそれぞれ設けられた一対のガイド部材と、上記一対のガイド部材を移動可能に備えた装置の一部に突出して設けられた軸と、上記軸に回転可能に装着されたギヤと、上記軸よりも少なくとも一部が大径で、上記軸の突出方向先端に取り付けられることにより上記ギヤが上記軸から抜けるのを抑制する抜け止め部と、上記各ガイド部材にそれぞれ設けられ、上記ギヤにそれぞれ噛合うことで上記一対のガイド部材を連動させる一対のラックと、上記軸に穿設され、上記軸の突出方向先端側に開口した小径部と、その小径部の上記突出方向基端側に連接した大径部と、を有する穴と、上記抜け止め部に一体に形成され、上記先端側に開口した上記穴の上記小径部から挿入可能で、上記穴の上記大径部まで挿入された後に上記抜け止め部が上記軸の突出方向と垂直な面に沿って回動されたとき、上記大径部の上記小径部と重畳しない範囲に侵入して係合する係合部と、上記穴の内面に突設され、上記係合部の上記穴への挿入後に上記抜け止め部が上記面に沿って回動されたとき、上記係合部を、上記穴の上記大径部に係合した状態に係止する係止突起と、を備えたことを特徴としている。
【０００７】
このように構成された本発明では、一対のガイド部材を移動可能に備えた装置の一部に突出して設けられた軸にはギヤが回転可能に装着されており、上記一対のガイド部材にそれぞれ設けられたラックがそのギヤに噛合うことで上記一対のガイド部材が連動する。また、上記軸の突出方向先端に取り付けられる抜け止め部は、上記軸よりも少なくとも一部が大径であるため、その抜け止め部が上記軸の突出方向先端に取り付けられることで上記ギヤが上記軸から抜けるのを抑制することができる。
【０００８】
ここで、本発明では、上記軸に穿設された穴は、上記軸の突出方向先端側に開口した小径部と、その小径部の上記突出方向基端側に連接した大径部と、を有している。そして、上記抜け止め部に一体に形成された係合部は、上記先端側に開口した上記穴の上記小径部から挿入可能で、上記穴の上記大径部まで挿入された後に上記抜け止め部が上記軸の突出方向と垂直な面に沿って回動されたとき、上記大径部の上記小径部と重畳しない範囲に侵入して係合する。
【０００９】
また、上記穴の内面に突設された係止突起は、上記係合部の上記穴への挿入後に上記抜け止め部が上記面に沿って回動されたとき、その係合部を上記穴の上記大径部に係合した状態に係止する。このため、上記抜け止め部は上記軸の突出方向先端に安定して固定され、外力によって上記ギヤが外れるのを良好に抑制することができる。また、本発明では、上記軸よりも少なくとも一部が大径の上記抜け止め部がその軸の外部に配設されるだけなので、装置を上記軸の突出方向に良好に小型化することができる。
【００１０】
なお、本発明は以下の構成に限定されるものではないが、上記穴の上記小径部及び上記係合部は、上記面に沿った形状が長尺状に構成され、上記抜け止め部は、上記長尺状の係合部の一端と連接され、上記係合部の一端の挿入位置は、上記ギヤの回転中心に対して偏心して設けられ、上記穴の上記大径部は、上記抜け止め部が上記係合部の一端を中心に上記面に沿って９０°未満の範囲で回動されるように、上記係合部の一端の挿入位置を中心にして鋭角に上記ギヤの回転中心に向けて開いた形状とされ、上記係止突起は、上記係合部の他端が上記抜け止め部の回動時に弾性変形によって乗り越えることで、上記係合部を係止してもよい。
【００１１】
この場合、上記係合部が長尺状でしかもその回動中心（上記抜け止め部が上記面に沿って回動されるときの中心）となる一端の挿入位置はギヤの回転中心（すなわち軸の中心）に対して偏心しているため、上記係合部を長く構成できる。このため、その係合部が弾性変形し易くなり、比較的大きい係止突起であっても弾性変形することによって乗り越えて係止される。従って、抜け止め部が軸から外れることによってギヤが外れるのも一層良好に抑制できる。更に、上記穴の大径部は上記係合部の一端を中心にして鋭角に上記ギヤの回転中心に向けて開いた形状とされている。このため、上記軸の半径がそれ程大きくなくても上記大径部を構成することができ、装置を一層小型化することができる。
【００１２】
そして、この場合更に、上記ギヤに設けられたフランジまたは上記抜け止め部は、上記各ラックに上記軸の突出方向先端側から当接し、上記係合部の一端の挿入位置は、上記一対のラックの中間点に設けられてもよい。
【００１３】
上記各用紙ガイドのラックには、上記各用紙ガイドが前述のように連動して移動される際に、上記軸の突出方向に浮き上がろうとする力が作用する。この力は、上記ギヤの少なくとも上記軸の突出方向先端側にフランジが設けられている場合はそのフランジが、上記ギヤにそのようなフランジがない場合は上記抜け止め部が直接、上記各ラックに当接することによってそれぞれ相殺される。上記のように、上記係合部の一端の挿入位置が上記一対のラックの中間点に設けられた場合、上記抜け止め部はその一端を抗力の作用点として上記軸に固定されているので、上記浮き上がろうとする力の相殺を各ラックに対して均一に行うことができる。
【図面の簡単な説明】
【００１４】
【図１】本発明が適用された用紙カセットの構成を表す平面図である。
【図２】その用紙カセットの構成を表す下面図である。
【図３】その用紙カセットのギヤ近傍の構成をストッパを省略して表す平面図，Ａ−Ａ線断面図，下面図である。
【図４】上記ストッパの構成を表す平面図，側面図である。
【図５】上記ギヤ近傍におけるストッパ装着過程の構成を表す平面図，Ａ−Ａ線断面図，下面図である。
【図６】上記ギヤ近傍におけるストッパ装着後の構成を表す平面図，Ａ−Ａ線断面図，下面図である。
【図７】用紙カセットを備えた画像形成装置の一例を示す斜視図である。
【発明を実施するための形態】
【００１５】
（用紙カセットの全体構成）
次に、本発明の実施の形態を図面と共に説明する。図１は、本発明が適用されたシートガイド装置の一例としての用紙カセット１の構成を表す平面図であり、図２は、その用紙カセット１の構成を表す下面図である。
【００１６】
図１に示すように、この用紙カセット１は、シートの一例としての記録用紙（図示省略）を下面から支持する支持板２を備え、その支持板２の前端部左右両側面には、例えば図７に一例を示すプリンタ等の画像形成装置に接続するためのボス２１が突出して設けられている。また、支持板２の上面には、ガイド部材の一例としての一対のサイドガイド３，４が、左右方向に移動可能に支持されている。このサイドガイド３，４は、支持板２の上面に支持された記録用紙の対向する一対の端縁に当接するガイド面３１，４１をそれぞれ有し、各ガイド面３１，４１が記録用紙の上記一対の端縁に近接離間する方向に移動可能に支持板２に設けられている。
【００１７】
また、サイドガイド３，４には、互いに近接する方向（左右方向）にラック３２，４２が突出して設けられている。このラック３２，４２は、支持板２に垂直な軸６（図３参照）を中心に回転するギヤ５に１８０°対向する側（前後側）から噛合っている。このため、ラック３２，３４は、支持板２の左右方向中心に対して等速で近接離間するように連動される。また、ギヤ５は、ストッパ７によって軸６から抜けるのを抑制されている。
【００１８】
（軸及びストッパの構成）
以下、この軸６，ストッパ７の構成について詳細に説明する。図３（Ａ）は用紙カセット１におけるギヤ５近傍の構成をストッパ７を省略して表す平面図、図３（Ｃ）はその下面図、図３（Ｂ）はそのＡ−Ａ線断面図である。また、図４（Ａ）はストッパ７の構成を表す平面図、図４（Ｂ）はその側面図である。
【００１９】
図３に示すように、軸６は支持板２の上面からその上面に垂直に突出して設けられた円柱状に構成され、支持板２と樹脂にて一体成形されており、その内部には次のような穴６１が形成されている。すなわち、穴６１は、軸６の突出方向先端側（上面側）に開口した小径部６２と、軸６の突出方向基端側（下面側）に開口して小径部６２に連接した大径部６３とを備えた２段構造となっている。小径部６２は、平面視が軸６に対して偏心した長尺矩形状に構成され、一端６２ａがラック３２，４２の中間点に配設されると共に円形に膨らんでいる。大径部６３は、小径部６２と鉛直方向に重畳する部分を含むと共にその部分を一方の弦とした平面視扇形に形成され、その中心角は鋭角（例えば３０°〜６０°）で、上記一端６２ａと重畳する部分を中心にして軸６の中心に向けて開いた形状とされている。
【００２０】
また、上記小径部６２と大径部６３との境界として構成された段部６４には、軸６の突出方向先端側から基端側に向けて係止突起６５が突出されている。この係止突起６５は、小径部６２側が傾斜してその反対側が鉛直面となったフック状に構成されている。更に、ギヤ５には、ラック３２，４２と噛合う歯部５１の上面側に、円板状のフランジ５２が形成されている。このフランジ５２は、支持板２との間にラック３２，４２を挟んでそのラック３２，４２が支持板２から浮き上がるのを抑制するものである。
【００２１】
次に、ストッパ７は、図４（Ａ），（Ｂ）に示すように、円板状の抜け止め部７１と、その下面から突出した係合部７２とを備え、樹脂にて一体成形されている。係合部７２は、抜け止め部７１の偏心した位置（抜け止め部７１を軸６に同心円状に重ねたときに一端６２ａと重畳する位置）からＬ字状に突出している。すなわち、係合部７２は、抜け止め部７１に連接されその抜け止め部７１から垂直に伸びる連接部７２ａと、その連接部７２ａの先端から抜け止め部７１に沿って長尺状に伸びるレバー部７２ｂと、レバー部７２ｂの他端から抜け止め部７１に向かって突出した係止突起７２ｃとを備えている。
【００２２】
なお、係合部７２は、小径部６２とほぼ同一の平面形状を有し、その小径部６２に挿入可能に構成されている。また、係止突起７２ｃは、係合部７２が穴６１の小径部６２に挿入されたときに係止突起６５と対向する側が傾斜してその反対側が鉛直面となったフック状に構成されている。更に、抜け止め部７１の係合部７２と対向する部分には、係合部７２の樹脂成形を容易にするための穴７１ａが形成されている。
【００２３】
（本実施の形態の効果及び他の実施の形態）
次に、このように構成されたストッパ７の軸６への装着方法を説明する。前述のように、係合部７２は小径部６２へ上面側から挿入することができ、図５（Ａ），（Ｂ），（Ｃ）は、そのように係合部７２を挿入した状態を表す平面図，Ａ−Ａ線断面図，下面図である。図５に示すように、係合部７２を小径部６２から穴６１に挿入し、軸６の突出方向先端側端面に抜け止め部７１と当接させると、係合部７２のレバー部７２ｂは段部６４より下方の大径部６３まで達する。このため、ストッパ７は、連接部７２ａが設けられた係合部７２の一端を中心として、大径部６３の上記中心角の範囲内で回動させることが可能となる。
【００２４】
続いて、ストッパ７が連接部７２ａを中心にして軸６の突出方向と垂直な面に沿って回動されると、係合部７２は弾性変形することによって係止突起６５を乗り越え、大径部６３の小径部６２と重畳しない範囲に侵入して係合する。すると、図６（Ｂ），（Ｃ）に示すように、係止突起７２ｃの鉛直面が係止突起６５の鉛直面と係合し、係合部７２は穴６１の段部６４に係合した状態に係止される。このため、外力によってギヤ５が軸６から外れるのを良好に抑制することができる。
【００２５】
また、このとき、ストッパ７の抜け止め部７１は、ギヤ５及び軸６と同心円状に配設される。しかも、抜け止め部７１は、一対のラック３２，４２の中間点に配設された連接部７２ａを抗力の作用点として軸６に固定されているので、ラック３２，４２が支持板２から浮き上がろうとする力を各ラック３２，４２に対して均等に相殺することができる。
【００２６】
更に、本実施の形態では、小径部６２が軸６に対して偏心し、大径部６３は、小径部６２と鉛直方向に重畳する部分を含む中心角が鋭角の扇形状に軸６の中心に向けて開いた形状とされている。このため、軸６の半径がそれ程大きくなくてもレバー部７２ｂの長さを十分に確保できる穴６１が構成可能となる。また、ギヤ５の上面に突出する部分も円板状の抜け止め部７１のみとなる。従って、本実施の形態では装置を良好に小型化することができる。更に、レバー部７２ｂの長さを十分に設計することで、強度や弾性の優れた高価な樹脂を使用しなくても所望の強度等が確保でき、製造コストを良好に低減することができる。
【００２７】
なお、本発明は上記実施の形態に何等限定されるものではなく、本発明の要旨を逸脱しない範囲で種々の形態で実施することができる。例えば、軸６は支持板２の下面から突出しても、支持板２の上面に平行に突出してもよく、ギヤ５にフランジ５２を設けずに抜け止め部７１によってラック３２，４２を直接押えてもよい。また、画像形成装置の筐体に設けられた挿入口に記録用紙を直接挿入する場合は、その筐体に軸６が突設されてもよいし、本発明は、図７に示すプリンタ等の画像形成装置以外の各種装置、例えば、ファクシミリ装置の原稿ガイド等にも適用することができる。
【符号の説明】
【００２８】
１…用紙カセット        ２…支持板                ３，４…サイドガイド
５…ギヤ                ６…軸                    ７…ストッパ
３１，４１…ガイド面    ３２，４２…ラック        ５１…歯部
５２…フランジ          ６１…穴                  ６２…小径部
６３…大径部            ６５，７２ｃ…係止突起    ７１…抜け止め部
７２…係合部
【図１】
2011084366.tif 000003
【図２】
2011084366.tif 000004
【図３】
2011084366.tif 000005
【図４】
2011084366.tif 000006
【図５】
2011084366.tif 000007
【図６】
2011084366.tif 000008
【図７】
2011084366.tif 000009